(57)【要約】【課題】  長寿命化を図ることができるとともに、発光素子の出射する単色の光を有効に利用できる表示装置を提供する。【解決手段】  表示装置の表示パネル２は、発光部１１とカラーフィルタ１３とを備えている。発光部１１は、発光エリア１４内に複数の走査線１６と複数のデータ線１７の交差に対応してマトリクス状に配置されたそれぞれ同じ白色光を出射する有機ＥＬ素子２２を形成した画素１８を有し、各画素１８の各々が画像データに基づいて有機ＥＬ素子２２が出射する白色光の輝度が制御される。カラーフィルタ１３は、発光部１１に対向して配置され、画素１８の有機ＥＬ素子２２が出射する白色光を色変換させて透過させる色変換層と、画素の有機ＥＬ素子２２が出射する白色光を色変換させないで透過させる色無変換層とを形成した。【選択図】      図２
2006349984.tif 000002
【特許請求の範囲】
【請求項１】
単色光を出射する発光素子を有する画素が、複数の走査線と複数のデータ線の交差に対応して配置された表示装置において、
各画素の各々は、前記発光素子から出射される単色光の輝度が画像データに基づいて制御される発光部を備え、
前記発光部に対向して配置され、前記発光素子から出射される単色光にて、カラー画像を表示させるための色変換層と、前記発光素子から出射される単色光にて、単色画像を表示させるための色変換層とを有するカラーフィルタを備えた表示装置。
【請求項２】
請求項１に記載の表示装置において、
前記カラー画像を表示させるための色変換層は、前記発光素子から出射される単色光を色変換させて透過させる色変換層であり、
前記単色画像を表示させるための色変換層は、前記発光素子から出射される単色光を色変換させないで透過させる色無変換層であることを特徴する表示装置。
【請求項３】
請求項２に記載の表示装置において、
前記色変換層は、他の色変換された光と合成してカラー画像表示を行うための画素に対応した位置に形成され、
前記色無変換層は、前記単色光で、固定した画像表示を行うための画素に対応した位置に形成されることを特徴とする表示装置。
【請求項４】
請求項２に記載の表示装置において、
前記発光素子から出射される単色光を赤色に変換させて透過させる赤色色変換層に対向して配置された赤色発光部と、前記発光素子から出射される単色光を緑色に変換させて透過させる緑色色変換層に対向して配置された緑色発光部と、前記発光素子から出射される単色光を青色に変換させて透過させる青色色変換層に対向して配置された青色発光部と、を備える第１の画素と、
前記発光素子から出射される単色光を色変換させないで透過させる色無変換層に対向して配置された色無変換発光部を備える第２の画素と、
を有することを特徴とする表示装置。
【請求項５】
請求項４に記載の表示装置において、
前記第１の画素が複数配置された第１の表示領域と、前記第２の画素が複数配置された第２の表示領域を有し、
前記第１の表示領域ではフルカラー画像表示を行い、前記第２の表示領域では単色画像表示を行うことを特徴とする表示装置。
【請求項６】
請求項１〜５のいずれか１に記載の表示装置において、
前記発光素子は、白色光を出射する発光素子であることを特徴とする表示装置。
【請求項７】
請求項１〜６のいずれか１に記載の表示装置において、
前記発光素子は、エレクトロルミネッセンス素子であることを特徴とする表示装置。
【請求項８】
請求項１〜７のいずれか１に記載の表示装置において、
前記発光素子は、有機エレクトロルミネッセンス素子であることを特徴とする表示装置。
【発明の詳細な説明】
【技術分野】
【０００１】
本発明は、自動車等の車両、航空機、船舶、電車等の移動体に搭載され、移動体の速度、エンジン回転数等を表示する表示装置に関する。
【背景技術】
【０００２】
近年、有機エレクトロルミネッセンス（以下、有機ＥＬという）素子を用いた有機ＥＬパネルが、低消費電力、高視野角、高コントラスト比で他の表示装置より優れているとして注目されている。こうした有機ＥＬパネルを用いた有機ＥＬ表示装置が知られている（例えば、特許文献１）。このような有機ＥＬ表示装置では、一般に、赤色の光をそれぞれ出射する赤色用有機ＥＬ素子からなる画素、緑色の光を出射する緑色用有機ＥＬ素子からなる画素、及び青色の光をそれぞれ出射する青色用有機ＥＬ素子からなる画素を、予め定めた順序でマトリクス状に配列形成する。そして、隣接する３つの画素、即ち、赤用有機ＥＬ素子からなる赤用画素、緑用有機ＥＬ素子からなる緑用画素、及び、青用有機ＥＬ素子からなる青用画素とで一つのカラー画素が構成されている。
【０００３】
一方、マトリク状に配置された各画素を、それぞれ同一色（例えば白色）の光を出射する画素で構成し、各画素から出射された白色光を赤色、緑色、青色の色変換層が形成されたカラーフィルタに透過させてカラー表示するプラズマディスプレイパネル（ＰＤＰ）が知られている（例えば、特許文献２）。このカラー表示方法では、色バランスが崩れない点が先の表示装置より優れている。
【特許文献１】特開２００４−１２７９２４号公報
【特許文献２】特開平１１−３３９６６６号公報
【発明の開示】
【発明が解決しようとする課題】
【０００４】
ところで、カラー表示する表示装置を、自動車等の車両のインストルメントパネルに搭載し、タコメータ等のメータを画像表示させる場合、一部（例えば、数値）を単色（例えば白色）で表示することが多くなる。例えば、白色は、赤（Ｒ）、緑（Ｇ）、青（Ｂ）などの複数の光の混合によって表示される。このような車載用の表示装置を、上記特許文献１で開示されているような有機ＥＬ表示装置で構成する場合、以下のような問題が生じる虞がある。
【０００５】
（1）寿命の長い表示装置が得られない。
一つのカラー画素を、赤用有機ＥＬ素子からなる赤用画素、緑用有機ＥＬ素子からなる緑用画素、及び、青用有機ＥＬ素子からなる青用画素とで構成する有機ＥＬ表示装置では、白色表示は赤用有機ＥＬ素子、緑用有機ＥＬ素子及び青用有機ＥＬ素子を所定の輝度比で発光させる必要がある。つまり、図１２に示す色座標において、赤（Ｒ）、緑（Ｇ）、青（Ｂ）の３点の色座標で結んだ色三角形の範囲内の点ＰＷで示される白色の座標で輝度比が決まる。このとき、点ＰＷでの白色における赤（Ｒ）、緑（Ｇ）、青（Ｂ）の各輝度比は、図１３に示すように決定される。
【０００６】
ところで、赤用有機ＥＬ素子、緑用有機ＥＬ素子及び青用有機ＥＬ素子は、それぞれ寿命が異なる。図１４は、各色の有機ＥＬ素子の寿命を示す。つまり、青用有機ＥＬ素子の輝度の劣化が最も速く（寿命が最も短く）、赤用有機ＥＬ素子の輝度の劣化が最も遅い（寿命が最も長い）ことがわかる。
【０００７】
そのため、表示パネルのある部分に数値、文字を白色で表示する場合、その白色で表示
する部分の寿命は、寿命の最も短い有機ＥＬ素子で決まってしまい、有機ＥＬパネルの寿命を短くする。
【０００８】
（２）白色で表示する領域での輝度制御が煩雑になる。
当初、点ＰＷにおける白色の輝度比で発光するように、各色の有機ＥＬ素子の発光輝度を設定したが、上記したように、図１４に示すように、各色毎で有機ＥＬ素子の輝度の劣化が異なることから、白色の色バランスが崩れて何らかの手段を講じない限り白色表示ができなくなる。つまり、白色の色バランスが崩れないようにするために、各色の有機ＥＬ素子の発光輝度を、その時々で制御する必要が生じ、白色で表示する領域での輝度制御が煩雑になる。
【０００９】
（３）白色を表示する際には、白色の色バランスを考慮して、赤色の色変換層に対する有機ＥＬ素子の発光輝度、緑色の色変換層に対する有機ＥＬ素子の発光輝度、青色の色変換層に対する有機ＥＬ素子の発光輝度をそれぞれ制御する必要が生じる。特に、車載用表示装置おいて、常時、白色表示する部分においては、同じ白色を発光する有機ＥＬ素子であっても、透過する色変換層によって負荷が著しく相違する。その結果、有機ＥＬ素子毎に輝度の劣化が相違し、表示装置の寿命を短くする。
【００１０】
また、上記特許文献２で開示されているようなプラズマディスプレイパネルで白色の画像を表示する場合、以下のような問題が生じる虞がある。
（４）このプラズマディスプレイパネルでは、白色で固定の画像を長い時間表示する場合、白色光を赤色、緑色、青色の色変換層が形成されたカラーフィルタを透過させて白色を表示することになる。その結果、白色光がそれぞれの色変換層を透過して出射される分だけ光は減衰して輝度は落ちる。つまり、各画素の発光素子から出射される白色光を有効に利用できない。そして、輝度が落ちた分を補償しようとすると、その分消費電力の増加につながる。
【００１１】
本発明は、このような従来の問題点に着目してなされたもので、その目的は、長寿命化を図ることができるとともに、発光素子の出射する単色光を有効に利用できる表示装置を提供することである。
【課題を解決するための手段】
【００１２】
本発明の表示装置は、単色光を出射する発光素子を有する画素が、複数の走査線と複数のデータ線の交差に対応して配置された表示装置において、各画素の各々は、前記発光素子から出射される単色光の輝度が画像データに基づいて制御される発光部を備え、前記発光部に対向して配置され、前記発光素子から出射される単色光にて、カラー画像を表示させるための色変換層と、前記発光素子から出射される単色光にて、単色画像を表示させるための色変換層とを有するカラーフィルタを備えた。
【００１３】
この表示装置によれば、各画素の発光素子から出射する単色光を使ってカラー画像表示するカラーフィルタの一部に、各画素の発光素子から出射する単色光を使って単色画像を表示するための色変換層を形成したので、単色画像を表示する領域（以下、「単色表示領域」という）での発光素子の寿命を長くすることができ、ひいては表示装置の寿命を長くすることができる。
【００１４】
また、単色表示領域では、各画素の発光素子の輝度を劣化に応じて一様に上げるように制御すればよく、輝度制御が容易になる。
さらに、単色表示領域では、各画素の発光素子から出射する単色光は、色変換層を通り、そのまま出射して単色画像表示に寄与するので、各画素の発光素子から出射される単色光を有効に利用することができ、その分消費電力を低減できる。その結果、長寿命化を図
ることができるとともに、発光素子の出射する単色光を有効に利用できる表示装置を実現することができる。
【００１５】
この表示装置において、前記カラー画像を表示させるための色変換層は、前記発光素子から出射される単色光を色変換させて透過させる色変換層であり、前記単色画像を表示させるための色変換層は、前記発光素子から出射される単色光を色変換させないで透過させる色無変換層であってもよい。
【００１６】
この表示装置によれば、各画素の発光素子から出射する単色光を色変換層を通してカラー画像が表示され、各画素の発光素子から出射する単色光を色無変換層を通して単色の画像が表示されるので、単色で画像を表示する領域（以下、「単色表示領域」という）での発光素子の寿命を長くすることができ、ひいては表示装置の寿命を長くすることができる。
【００１７】
また、各画素の発光素子から出射する単色の光を色無変換層を通して単色の画像が表示されるので、単色表示領域では、各画素の輝度を劣化に応じて一様に上げるように制御すればよく、輝度制御が容易になる。
【００１８】
さらに、単色表示領域では、各画素の発光素子から出射する単色光は、色無変換層を通り、そのまま出射して単色の画像表示に寄与するので、各画素の発光素子から出射される単色光を有効に利用することができ、その分消費電力を低減できる。その結果、長寿命化を図ることができるとともに、発光素子の出射する単色光を有効に利用できる表示装置を実現することができる。
【００１９】
この表示装置において、前記色変換層は、他の色変換された光と合成してカラー画像表示を行うための画素に対応した位置に形成され、前記色無変換層は、前記単色光で、固定した画像表示を行うための画素に対応した位置に形成してもよい。
【００２０】
これによれば、色変換層が形成された部分にカラー画像が表示でき、色無変換層を形成した部分に単色の固定した画像を表示することができる。
この表示装置において、前記発光素子から出射される単色光を赤色に変換させて透過させる赤色色変換層に対向して配置された赤色発光部と、前記発光素子から出射される単色光を緑色に変換させて透過させる緑色色変換層に対向して配置された緑色発光部と、前記発光素子から出射される単色光を青色に変換させて透過させる青色色変換層に対向して配置された青色発光部と、を備える第１の画素と、前記発光素子から出射される単色光を色変換させないで透過させる色無変換層に対向して配置された色無変換発光部を備える第２の画素とを有してもよい。
【００２１】
これによれば、第１の画素を使ってカラー画像が表示でき、第２の画素を使って単色の固定した画像を表示することができる。
この表示装置において、前記第１の画素が複数配置された第１の表示領域と、前記第２の画素が複数配置された第２の表示領域を有し、前記第１の表示領域ではフルカラー画像表示を行い、前記第２の表示領域では単色画像表示を行うようにしてもよい。
【００２２】
これによれば、第１の表示領域にフルカラー画像が表示でき、第２の表示領域に固定した単色画像を表示することができる。
この表示装置において、前記発光素子は白色光を出射する発光素子であってもよい。
【００２３】
これによれば、第２の表示領域に白色の固定した画像を表示することができる。
この表示装置において、前記発光素子は、エレクトロルミネッセンス素子であってもよ
い。
【００２４】
これによれば、各画素のエレクトロルミネッセンス素子は、フィルタのそれぞれ対応する色変換層、色無変換層を介して光を出射する。
この表示装置において、前記発光素子は、有機エレクトロルミネッセンス素子であってもよい。
【００２５】
これによれば、各画素の有機エレクトロルミネッセンス素子は、フィルタのそれぞれ対応する色変換層、色無変換層を介して光を出射する。
【発明を実施するための最良の形態】
【００２６】
（第１実施形態）
以下、本発明の表示装置を車載用表示装置に具体化した第１実施形態を、図面に基づいて説明する。
【００２７】
図４に示すように、本実施形態の車載用表示装置（単に表示装置という）１は自動車２０のインストルメントパネル２１に搭載されている。表示装置１は、有機ＥＬ表示装置であって、自動車２０のエンジン回転数を表示するタコメータである。図３は、表示装置１の表示パネル（有機ＥＬパネル）２に表示されるタコメータの画像３０の表示形態を示す。図３において、画像３０中の円弧状に囲まれた２点鎖線で示す領域内に、「０」、「１０００」、「２０００」、……等のエンジンの回転数を示す数字３１が、所定の間隔に固定の画像として画像表示される。この数字３１は、常に画面上の同じ位置でかつ常に白色で表示される。つまり、各数字３１は、固定した単色画像表示である。これら、「０」、「１０００」、「２０００」、……等の数字３１が白色で表示される領域をそれぞれ第２の表示領域としての白色表示領域（単色表示領域）Ｚ１という。
【００２８】
画像３０中の数字３１が表示される部分（白色表示領域Ｚ１）を除く全ての部分（第１の表示領域としてのフルカラー表示領域Ｚ２）は、その時々の状況でフルカラー画像表示が可能である。そして、各数字３１に囲まれる位置に指針３２の画像がカラー表示される。指針３２は、本実施形態では、赤色で表示され、その時々のエンジン回転数に応じて、基端部３３を回動中心に回動表示されてその時のエンジン回転数を指標するようになっている。
【００２９】
尚、本実施形態では、画像３０中の数字３１が表示される部分（白色表示領域Ｚ１）を除く部分（フルカラー表示領域Ｚ２）であって、かつ、指針３２が表示されていない部分は、黒色の背景画像を表示するようになっている。
【００３０】
次に、表示装置１の構成を説明する。図１は、インストルメントパネル２１に実装される前の表示装置１の要部全体斜視図、図２は、同じく要部分解斜視図を示す。
図１及び図２において、表示装置１の表示パネル２は、発光部１１とカラーフィルタ１３とを備えている。発光部１１は、光透過性を有する透明材料としての四角形状のガラス基板（発光素子基板）１２を有し、その表面１２ａに略四角形状の発光エリア１４が形成されている。符号「１５」は透明な材料により形成された薄膜封止領域である。
【００３１】
発光エリア１４には、行方向に複数の走査線１６が形成されているとともに、各走査線１６と交差するように列方向に複数のデータ線１７が形成されている。そして、各走査線１６と各データ線１７とが交差する交差部に対応する位置に画素１８が形成されている。即ち、発光エリア１４内には、複数の画素１８がマトリクス状に配置されている。
【００３２】
各画素１８は、図２中の拡大部１９で示すように、発光素子としての有機エレクトロル
ミネッセンス素子（以下、有機ＥＬ素子という）２２と、有機ＥＬ素子２２をスイッチングするためのスイッチング素子２３が形成されている。各画素１８の有機ＥＬ素子２２は、同じ白色光を出射する白色有機ＥＬ素子であって、スイッチング素子２３を介してデータ線１７から入力されるデータ信号に応じて発光輝度が制御される。
【００３３】
そして、本実施形態の有機ＥＬ素子２２は、発光スペクトルにおいて５００ｎｍ±５ｎｍの波長域内に第１の極小値を有するとともに、４００ｎｍから５００ｎｍの波長域内に第１の発光ピークが存在し、５００ｎｍから６００ｎｍの波長域内に第２の発光ピークをもつ光を出射する。これによって、有機ＥＬ素子２２は、色度測定に用いられるＸＹＺフィルタの各スペクトルを加算したときのスペクトルと同様な発光スペクトルの光を出射するため、人間の視覚を考慮した場合には、白色光を出射するとみなすことができる。
【００３４】
なお、白色光を出射する有機ＥＬ素子として、発光スペクトルにおいて５００ｎｍ±５ｎｍの波長域内に第１の極小値を有するとともに、４００ｎｍから５００ｎｍの波長域内に第１の発光ピークが存在し、５００ｎｍから６００ｎｍの波長域内に第２の発光ピークが存在し、これに加えて、５００ｎｍ±５ｎｍの波長域内に第２の極小値が存在し、６００ｎｍ以上の波長域に第３の発光ピークをもつ光を出射する有機ＥＬ素子でもよい。
【００３５】
そして、走査線１６が線順次走査に基づいて１本ずつ順次選択されると、画素１８のスイッチング素子２３が順次、選択期間中だけオン状態となり、そのスイッチング素子２３にデータ線１７からデータ信号が入力される。すると、データ信号に応じた駆動電流が有機ＥＬ素子２２に供給され、有機ＥＬ素子２２は、データ信号に応じた発光輝度の白色光を出射する。
【００３６】
そして、各走査線１６は図示しない走査線駆動回路に接続され、各データ線１７は図示しないデータ駆動回路に接続されている。データ駆動回路は、供給される画像データに基づいて各データ線に供給するデータ信号を生成し、走査線駆動回路による走査線１６の選択動作に同期して出力する。つまり、表示装置１の表示パネル２は、いわゆるアクティブマトリックス方式の有機ＥＬ表示パネルであって、表示パネル２の発光エリア１４の各画素１８からは、発光輝度が制御された白色光が出射される。換言すれば、表示パネル２の発光エリア１４において、画像データに基づいて、図３に示すタコメータの画像３０を表示するための発光が行われる。
【００３７】
表示パネル２の発光エリア１４には、図１及び図２に示すように、カラーフィルタ１３が同発光エリア１４の全面に配設される。図５はカラーフィルタ１３の構成を示す平面図であり、図６はカラーフィルタ１３の構成を示す断面図である。尚、図５では、カラーフィルタ１３における、前記白色表示領域（単色表示領域）Ｚ１の拡大部４１と、白色表示領域Ｚ１以外のフルカラー表示領域Ｚ２の拡大部４２とを示してある。
【００３８】
カラーフィルタ１３は、図５及び図６に示すように、赤色に着色した赤色色変換層としての赤用色変換層１３Ｒ、緑色に着色した緑色色変換層としての緑用色変換層１３Ｇ、青色に着色した青色色変換層としての青用色変換層１３Ｂ、及び、色無変換層１３Ｗが、ブラックマトリクス層ＢＭにて区画形成されている。赤用色変換層１３Ｒは、白色光を赤色に色変換する色変換層である。緑用色変換層１３Ｇは、白色光を緑色に色変換する色変換層である。青用色変換層１３Ｂは、白色光を青色に色変換する色変換層である。色無変換層１３Ｗは、白色光を色変換することなくそのままの白色光を透過し出射する色変換層である。
【００３９】
赤用色変換層１３Ｒ、緑用色変換層１３Ｇ、青用色変換層１３Ｂは、フルカラー表示領域Ｚ２においてフルカラー画像を表示するために割り当てられた画素１８（第１の画素）
に対向した位置に形成されている。赤用色変換層１３Ｒ、緑用色変換層１３Ｇ、青用色変換層１３Ｂは、行方向に形成されたそれぞれ赤色発光部、緑色発光部又は青色発光部を構成する各画素１８に対して赤用色変換層１３Ｒ、緑用色変換層１３Ｇ、青用色変換層１３Ｂの順番で繰り返し配列形成される。そして、赤用色変換層１３Ｒ、緑用色変換層１３Ｇ、青用色変換層１３Ｂを一つの組とする３つの画素１８によって１カラー画素を構成する。
【００４０】
色無変換層１３Ｗが、画像３０中の数字３１が表示される白色表示領域Ｚ１においてその数字３１を白色表示するために割り当てられた色無変換発光部を構成する画素１８（第２の画素）に対向するように形成されている。
【００４１】
以上のように構成された表示装置１では、図７に示すように、各画素１８の有機ＥＬ素子２２から出射する白色光（単色光）Ｗのうち、カラーフィルタ１３の赤用色変換層１３Ｒを透過する光は、赤色の光に色変換されて出射される。各画素１８の有機ＥＬ素子２２から出射する白色光Ｗのうち、カラーフィルタ１３の緑用色変換層１３Ｇを透過する光は、緑色の光に色変換されて出射される。各画素１８の有機ＥＬ素子２２から出射する白色光Ｗのうち、カラーフィルタ１３の青用色変換層１３Ｂを透過する光は、青色の光に色変換されて出射される。そして、各画素１８の有機ＥＬ素子２２から出射する白色光Ｗのうち、カラーフィルタ１３の色無変換層１３Ｗを透過する光は、色変換されずにそのまま白色光Ｗとして出射される。
【００４２】
発光エリア１４内の複数の画素１８のうち、フルカラー表示領域Ｚ２にある赤用色変換層１３Ｒ、緑用色変換層１３Ｇ、青用色変換層１３Ｂを通る白色光Ｗの輝度を制御することで、発光エリア１４内にフルカラー画像が表示される。そして、発光エリア１４内の複数の画素１８のうち、カラーフィルタ１３の白色表示領域Ｚ１にある色無変換層１３Ｗを通る白色光Ｗの輝度を制御することで、発光エリア１４内に「０」、「１０００」、「２０００」、…「６０００」を示す数字３１の画像が、白色で表示される。
【００４３】
以上のように構成された実施形態によれば、以下の作用効果を奏する。
（１）本実施形態によれば、各画素１８の有機ＥＬ素子２２から出射する白色光Ｗを赤用色変換層１３Ｒ、緑用色変換層１３Ｇ、青用色変換層１３Ｂを通してフルカラー画像を表示し、各画素１８の有機ＥＬ素子２２から出射する白色光Ｗを色無変換層１３Ｗを通して白色の画像を表示した。つまり、常時固定的に白色の単色画像を表示する部分（白色表示領域Ｚ１）は、各画素１８の有機ＥＬ素子２２から出射する白色光Ｗが色無変換層１３Ｗを通り、そのまま出射して白色の単色画像表示に寄与する。従って、各画素１８の有機ＥＬ素子２２から出射される白色光Ｗを有効に利用することができ、有機ＥＬ素子２２の寿命を長くすることができる。
【００４４】
また、赤用色変換層１３Ｒ、緑用色変換層１３Ｇ、青用色変換層１３Ｂを通して白色の単色画像表示にくらべて、これら色変換層を通さない分だけ輝度の低下はないため、低消費電力で白色の画像表示ができる。
【００４５】
（２）本実施形態によれば、常時固定的に白色の単色画像を表示する部分での各画素１８の有機ＥＬ素子２２の劣化は図８に示すように変化しそれが一様に変化するので、各有機ＥＬ素子２２の輝度が劣化した場合に、各画素１８の有機ＥＬ素子２２を一様に制御すればよく、輝度制御が容易になる。
【００４６】
（３）本実施形態では、白色の単色画像表示は、有機ＥＬ素子２２から出射する白色光Ｗをそのまま使用するため、カラーフィルタ１３による光の減衰がなく、光取り出し効率が高くなるので、その結果、赤用色変換層１３Ｒ、緑用色変換層１３Ｇ、青用色変換層１
３Ｂを通して白色の画像表示をする場合に比べて、寿命を長くすることができる。
（第２実施形態）
次に、本発明の表示装置を具体化した第２実施形態を、図９に従って説明する。
【００４７】
表示パネル２は、発光部１１とカラーフィルタ１３とを備え、発光部１１とカラーフィルタ１３の間に透明なアクリル樹脂等からなる充填層４３が充填されている。発光部１１は、光透過性を有する透明材料としての四角形状の素子基板４４を有し、その表面４４ａには、第１実施形態と同様に発光エリア内に複数の画素１８が形成されている。各画素１８は、第１実施形態と同様な構成であって有機ＥＬ素子、スイッチング素子等から構成され、有機ＥＬ素子から白色光Ｗをカラーフィルタ１３側に出射し、データ信号に応じてその発光輝度が制御される。従って、本実施形態の表示パネル２は、トップエミッション形の有機ＥＬ表示パネルである。
【００４８】
カラーフィルタ１３は、光透過性を有する透明材料としての四角形状のガラス基板４５を有し、その素子基板４４側の面４５ａには、ブラックマトリクス層ＢＭにて区画形成されている。ブラックマトリクス層ＢＭにて区画された空間であって、フルカラー表示領域Ｚ２内のフルカラー画像を表示するために割り当てられた画素１８（第１の画素）に対向した空間には、赤カラーレジストよりなる赤用色変換層１３Ｒ、緑カラーレジストよりなる緑用色変換層１３Ｇ、又は青カラーレジストよりなる青用色変換層１３Ｂが形成されている。そして、赤用色変換層１３Ｒを透過する白色光Ｗは、赤色の光に色変換されて出射される。緑用色変換層１３Ｇを透過する白色光Ｗは、緑色の光に色変換されて出射される。青用色変換層１３Ｂを透過する白色光Ｗは、青色の光に色変換されて出射される。
【００４９】
一方、ブラックマトリクス層ＢＭにて区画された空間であって、白色表示領域Ｚ１内の白色表示するために割り当てられた色無変換発光部を構成する画素１８（第２の画素）に対向した空間には、前記カラーレジストが形成されておらず、前記充填層４３の透明のアクリル樹脂が介在し色無変換層１３Ｗを形成する。そして、色無変換層１３Ｗは、白色光Ｗを色変換することなくそのままの白色光Ｗを透過し出射する。
【００５０】
以上のように構成された実施形態によれば、以下の作用効果を奏する。
（１）本実施形態によれば、第１実施形態と同様に、常時固定的に白色の単色画像を表示する白色表示領域Ｚ１は、各画素１８の有機ＥＬ素子から出射する白色光Ｗが色無変換層１３Ｗを通り、そのまま出射して白色の画像表示に寄与する。従って、各画素１８の有機ＥＬ素子から出射される白色光Ｗを有効に利用することができ、有機ＥＬ素子の寿命を長くすることができる。また、赤用色変換層１３Ｒ、緑用色変換層１３Ｇ、青用色変換層１３Ｂを通して白色の画像表示にくらべて、これら色変換層を通さない分だけ輝度の低下はないため、低消費電力で白色の画像表示ができる。
【００５１】
（２）本実施形態によれば、第１実施形態と同様に、各有機ＥＬ素子の輝度が劣化した場合に、各画素１８の有機ＥＬ素子を一様に制御すればよく、輝度制御が容易になる。
（３）本実施形態では、第１実施形態と同様に、白色の画像表示は、有機ＥＬ素子から出射する白色光Ｗをそのまま使用するため、カラーフィルタ１３による光の減衰がなく、光取り出し効率が高くなるので、その結果、赤用色変換層１３Ｒ、緑用色変換層１３Ｇ、青用色変換層１３Ｂを通して白色の画像表示をする場合に比べて、寿命を長くすることができる。
（第３実施形態）
次に、本発明の表示装置を具体化した第３実施形態を、図１０及び図１１に従って説明する。本実施形態は、第１実施形態の表示装置１では単色画像を表示する白色表示領域Ｚ１を設けたが、第３実施形態は、白色表示領域Ｚ１の他に、単色画像を表示する青色表示領域Ｚ３を設けた点に特徴を有する。つまり、図１１に示す表示装置の表示パネル（有機
ＥＬパネル）５０に表示されるタコメータの画像５１は、「０」、「１０００」、「２０００」、……等のエンジンの回転数を示す数字３１が固定の単色画像として画像表示される。この数字３１は、常に画面上の同じ位置でかつ常に白色で表示される。つまり、各数字３１は、第１実施形態と同じであって、数字３１が白色で表示される領域をそれぞれ白色表示領域Ｚ１としている。
【００５２】
また、画像５１の４隅に、四角形状の赤色ワーニングマーク５２Ｒ、緑色ワーニングマーク５２Ｇ、青色ワーニングマーク５２Ｂが固定の画像として画像表示される。赤色ワーニングマーク５２Ｒは、常に画面上の同じ位置でかつ常に赤色で表示される。つまり、赤色ワーニングマーク５２Ｒは、固定した赤色の単色画像表示であり、赤色ワーニングマーク５２Ｒが赤色の単色画像で表示される領域を赤色表示領域（図示せず）という。緑色ワーニングマーク５２Ｇは、常に画面上の同じ位置でかつ常に緑色で表示される。つまり、緑色ワーニングマーク５２Ｇは、固定した緑色の単色画像表示であり、緑色ワーニングマーク５２Ｇが緑色で表示される領域を緑色表示領域（図示せず）という。青色ワーニングマーク５２Ｂは、常に画面上の同じ位置でかつ常に青色で表示される。つまり、青色ワーニングマーク５２Ｂは、固定した青色の単色画像表示であり、青色ワーニングマーク５２Ｂが青色で表示される領域を青色表示領域Ｚ３という。
【００５３】
そして、画像５１中の数字３１及び各ワーニングマーク５２Ｒ，５２Ｇ，５２Ｂが表示される部分（白色表示領域Ｚ１、青色表示領域Ｚ３等）を除く全ての部分を第１の表示領域としてのフルカラー表示領域Ｚ２としている。従って、本実施形態では、その時々のエンジン回転数に応じて、その時のエンジン回転数を指標するとともに、各ワーニングマーク５２Ｒ，５２Ｇ，５２Ｂを表示するようになっている。
【００５４】
図１０は、本実施形態のカラーフィルタ１３の構成を示す断面図である。本実施形態のカラーフィルタ１３は、各ワーニングマーク５２Ｒ，５２Ｇ，５２Ｂ（青色表示領域Ｚ３等）に相当する部分を除き、第２実施形態のカラーフィルタ１３とその構成を同じなので、同じ構成の部分は符号を同じにして詳細な説明は省略する。
【００５５】
図１０において、ブラックマトリクス層ＢＭにて区画された空間であって、青色表示領域Ｚ３内の青色の単色画像表示するために割り当てられた画素１８（第２の画素）に対向した空間には、青カラーレジストよりなる青用色変換層１３Ｂが形成されている。そして、青用色変換層１３Ｂを透過する白色光Ｗは、青色の光に色変換されて出射される。
【００５６】
尚、赤色表示領域及び緑色表示領域に相当する部分も、同様にして形成される。また、白色表示領域Ｚ１においても第２実施形態と同様な方法で形成するため、その詳細な説明は省略する。
【００５７】
以上のように構成された実施形態によれば、上記各実施形態の効果に加えて以下の効果を奏する。
（１）本実施形態によれば、赤色表示領域、緑色表示領域、青色表示領域Ｚ３の有機ＥＬ素子２２を適宜発光させて、単色画像の各ワーニングマーク５２Ｒ，５２Ｇ，５２Ｂを表示させることによって、正常、注意、警告等の車両情報を、エンジンの回転数とともに表示することができる。
【００５８】
（２）本実施形態によれば、赤色表示領域、緑色表示領域、青色表示領域Ｚ３の有機ＥＬ素子の寿命を長くすることができる。例えば、カラーフィルタ１３の青色表示領域Ｚ３においては、青カラーレジストよりなる青用色変換層１３Ｂのみが形成されている。従って、青色表示領域Ｚ３にある各画素１８の有機ＥＬ素子から出射する白色光Ｗは、全て、青色に色変換されて出射する。これに対して、フルカラー表示領域Ｚ２において青色表示
させる場合には、隣接する赤用色変換層１３Ｒ及び緑用色変換層１３Ｇに対向する有機ＥＬ素子は発光させないで、青用色変換層１３Ｂに対向する有機ＥＬ素子のみを発光させることになる。その結果、青色表示領域Ｚ３での青色表示は、フルカラー表示領域Ｚ２での青色表示に比べて、有機ＥＬ素子の発光輝度を低くすることができ有機ＥＬ素子の寿命を長くすることができる。
【００５９】
尚、この発明は以下のように変更して具体化することもできる。
・上記各実施形態では、タコメータを画像表示する表示装置および表示方法を一例として説明したが、タコメータ以外のスピードメータや、計器類（インジケータやワーニング）等を表示する場合にも本発明は適用可能である。
【００６０】
・本発明は、フルに表示させるテレビ等の画像を表示するのではなく、表示エリアの一部しか使わないような表示をさせる表示装置に広く適用可能である。つまり、表示エリア全体のうち、制限された面積しか発光させないようにした計器用表示装置に広く適用可能である。
【００６１】
・上記各実施形態では、発光素子として有機ＥＬ素子２２を用いた表示パネル２を用いているが、表示パネルとして無機ＥＬ素子を用いたり、その他自発光素子を用いても本発明は適用可能である。
【００６２】
・上記各実施形態では、白色の単色で固定した画像を表示するようにしたが、これに限定されず、赤、緑、又は青の単色で固定した画像を表示する場合に適用可能である。
・上記各実施形態では、カラー表示に使用する画素を赤、緑、青の３色で構成したが、これに限定されず、４色以上の色で構成してもよい。
【図面の簡単な説明】
【００６３】
【図１】第１実施形態に係る表示装置の要部全体を示す斜視図。
【図２】同表示装置の要部全体を示す分解斜視図。
【図３】同表示装置の有機ＥＬパネルに表示される画像の表示形態を示す模式図。
【図４】同表示装置が搭載された車両のインストルメントパネルを示す斜視図
【図５】同表示装置におけるカラーフィルタの構成を示す平面図。
【図６】同カラーフィルタの構成を示す断面図。
【図７】同カラーフィルタの機能を説明するための模式図。
【図８】同表示装置における白色有機ＥＬ素子の寿命を示すグラフ。
【図９】第２実施形態のカラーフィルタの構成を示す断面図。
【図１０】第３実施形態のカラーフィルタの構成を示す断面図。
【図１１】同有機ＥＬパネルに表示される画像の表示形態を示す模式図。
【図１２】色三角形内における白色光の座標を示す説明図。
【図１３】図１２で示す白色光の輝度比を示すグラフ。
【図１４】赤、緑及び青の各色の有機ＥＬ素子の寿命を示すグラフ。
【符号の説明】
【００６４】
１…表示装置、２…表示パネル、１１…発光部、１２…ガラス基板、１３…カラーフィルタ、１３Ｒ…色変換層としての赤用色変換層、１３Ｇ…色変換層としての緑用色変換層、１３Ｂ…着色変換層としての赤用色変換層、１３Ｗ…色無変換層、１４…発光エリア、１６…走査線、１７…データ線、１８…画素、２２…発光素子としての有機エレクトロルミネッセンス素子、３１…数字、４０…白色表示領域、Ｗ…白色光。
【図１】
2006349984.tif 000003
【図２】
2006349984.tif 000004
【図３】
2006349984.tif 000005
【図４】
2006349984.tif 000006
【図５】
2006349984.tif 000007
【図６】
2006349984.tif 000008
【図７】
2006349984.tif 000009
【図８】
2006349984.tif 000010
【図９】
2006349984.tif 000011
【図１０】
2006349984.tif 000012
【図１１】
2006349984.tif 000013
【図１２】
2006349984.tif 000014
【図１３】
2006349984.tif 000015
【図１４】
2006349984.tif 000016